(57)【要約】      （修正有）【課題】葬儀に際して、故人に関わる人間関係に基づいて、遺漏なく通知をなすとともに、遺族が故人にまつわる様々な人間関係を幅広く知ることができ、しかも遺族が追悼メッセージ提供者から心暖まる追悼メッセージを獲得できる具体的な方法や仕組みを提供すること。【解決手段】遺族から故人のデータを入手し、このデータに基づいて電子メール、ファックス等で葬儀に関する情報と、故人に対する追悼メッセージの提供依頼を発信するとともに、同様の内容をインターネットにおけるホームページ上に告知公告を掲載し、追悼メッセージの提供者がインターネットのホームページに設定された書式に直接入力、および／または、電子メールによりサーバに送信された追悼メッセージ、あるいは、これに添付されたイメージデータを編集印刷し、さらには、郵送されてくる追悼メッセージ等々を一体的にアルバムとして編集する。【選択図】図１
2005259096.tif 000002
【特許請求の範囲】
【請求項１】
遺族から故人のデータを入手し、このデータに基づいて電子メール、ファックス等で葬儀に関する情報と、故人に対する追悼メッセージの提供依頼を発信するとともに、同様の内容をインターネットにおけるホームページ上に告知公告を掲載し、追悼メッセージの提供者がインターネットのホームページに設定された書式に直接入力された追悼メッセージ、あるいは、これに添付されたイメージデータ、および／または、電子メールによりサーバに送信されたメッセージおよびこれに添付されたイメージデータを所定の追悼メッセージとしての形式に編集印刷し、さらには、ファックスおよび／または郵送されてくる追悼メッセージ等々を一体的にアルバムとして編集することを特徴とする追悼メッセージ集の作成方法。
【請求項２】
請求項１記載の追悼メッセージ集の作成方法において、追悼メッセージ提供者からの種々の追悼メッセージをＣＤ−ＲＯＭ等の電子媒体として記録することを特徴とする追悼メッセージ集の作成方法。
【請求項３】
請求項１、２記載の追悼メッセージ集の作成方法において、追悼メッセージが音声、画像を添付したものであることを特徴とする追悼メッセージ集の作成方法。
【請求項４】
遺族から故人のデータを入手し、このデータに基づいて電子メール、ファックス等で葬儀に関する情報と、故人に対する追悼メッセージの提供依頼を発信するとともに、同様の内容をインターネットにおけるホームページ上に告知公告を掲載し、追悼メッセージの提供者がインターネットのホームページに設定された書式に直接入力された追悼メッセージ、あるいは、これに添付されたイメージデータ、および／または、電子メールによりサーバに送信されたメッセージおよびこれに添付されたイメージデータを所定の追悼メッセージとしての形式に編集印刷し、さらには、郵送されてくる追悼メッセージ等々を一体的に編集するとともに、追悼メッセージ提供者のリストを作成するとともに、必要に応じて会葬者名を追記したリストを作成し、追悼メッセージ提供者への礼状ならびに会葬者等への贈答品（満中陰志）を発送することを特徴とする追悼メッセージ集の作成方法。
【発明の詳細な説明】
【技術分野】
【０００１】  本発明は、故人の追悼メッセージ集の作成方法に関するものである。
【背景技術】
【０００２】  従来、かけがえのない人を亡くして残された遺族は、突然に出来する予定されざる非日常的な出来事に対して悲しみにくれる中にあって、かつ、限られた短時日の間に通夜に始まる葬儀のために葬儀業者との折衝、親族は勿論として、故人と親しい人間関係をもつ友人、知人、あるいは関係先への通知、連絡等々、一連の事務的な処理、あるいは、対応を遺漏なく行うことに忙殺されることになり、故人を偲び、故人の生前の生きざまやありし日の人間関係の想い出を振り返る余裕もなく、仮に、友人あるいは知人等から故人の生前の在りし姿を聞きえるとしても、遺族として故人の生前の付き合い、人間関係などの総てを知りえずに、ごく限られた範囲のごく一部の限られた人からのつぎはぎ的なものを聞き知る程度でしかなく、故人を偲ぶ想い出は、思うに任せないのが現状である。【０００３】  他方、故人の友人や親しい人間関係をもつ人達は突然の訃報に接した時、スケジュールを調整し、時間の許す限り通夜や葬儀に参列して、遺族に突然の不幸に対して慰め、激励の言葉を進呈したいとの思いがあるが、遺族がおかれた前述の状況から、遺族に対して意を尽くした十分な言葉をかけることもできず、故人との接点、個人的関係等の想い出を遺族に十分に伝えることが適わないのが実情である。【０００４】  また、当日の葬儀等への参列がかなわない場合にあっては、その弔意を表明する手段として、弔電として郵便局や電話局に依頼をして送っているのが一般的であるが、弔電として郵便局や電話局に依頼するため、追悼の言葉が定形文になりがちで、自分の好み通りに送ることも出来るが、通信料金などが高くなり、何よりも、故人との想い出の写真や絵画などを遺族におくりたくともその具体的な方法や仕組みがなく、遺族に送付することが非常に困難であった。【０００５】  このような状況に対して、特開２００２−９２１９９号公報（特許文献１）に示されるように、インターネットの端末機により故人への追悼メッセージ、メッセージ提供者名といった必要事項を入力し、その入力データをインターネットにより斎場、公共施設、自宅といった葬儀会場の端末機に伝送し、表示する追悼メッセージ伝送方法が提案されている。【０００６】  しかしながら、前述する特許文献１に記載される方法にあっても、遺族に対して故人との親疎関係を把握し、葬儀に際しての必要事項である日時、場所は勿論、葬儀に参列を願う場合に必須ともいえる葬儀の様式、例えば、仏式、神式の別、仏式にあっては宗派等々の速やかに、かつ、充分に伝達することは、葬儀を控えて精神的に不安定な遺族から、故人と親しい人間関係をもつ友人、知人、あるいは関係先を聴取して、通知あるいは連絡を行う等々、時間的に制約される中において一連の事務的な処理を行うにことに忙殺されることとなり、故人を偲ぶためのメッセージ、あるいは、写真等の提供の依頼を行うことは困難なものといわざるを得ない。【０００７】  加えて、遺族は、葬儀が終了後においても、遺品の処置に加え、葬儀参列者への挨拶、近隣への挨拶、７日毎に来る回忌等々後始末に時間を取られ、前述するような故人を知る人々からのメッセージ等を収集することができず、故人の思い出として身内の範囲に止まるのが現状で、加えて、故人を偲ぶためのメッセージの収集とは趣を異にするものであるが、葬儀に係る事後処理として、忌明けに際して会葬者等に贈答品を満中陰志として贈答することが慣習的に行われるが、かかる処理に際しても遺族にとっては負担となるものであった。【０００８】
【特許文献１】特開２００２−０９２１９９号公報
【特許文献２】特開２００３−２６５３０３号公報
【特許文献３】特開２００３−１７０６８３号公報
【発明の開示】
【発明が解決しようとする課題】
【０００９】  本発明は、前述の問題点に鑑みなされたものあって、葬儀に際して、故人に関わる人間関係に基づいて、遺漏なく通知をなすとともに、遺族が故人にまつわる様々な人間関係を幅広く知ることができ、しかも遺族が追悼メッセージ提供者から心暖まる追悼メッセージを獲得できる具体的な方法や仕組みを提供することによって心身共に遺族の心を癒すことが出来るシステムを提供することである。
【課題を解決するための手段】
【００１０】  前述の課題を解決するための本発明かかる追悼メッセージ集の作成方法の構成は、遺族から故人のデータを入手し、このデータに基づいて電子メール、ファックス等で葬儀に関する情報と、故人に対する追悼メッセージの提供依頼を発信するとともに、同様の内容をインターネットにおけるホームページ上に告知公告を掲載し、追悼メッセージの提供者がインターネットのホームページに設定された書式に直接入力された追悼メッセージ、あるいは、これに添付されたイメージデータ、および／または、電子メールによりサーバに送信されたメッセージおよびこれに添付されたイメージデータを所定追悼メッセージとしての形式に編集印刷し、さらには、郵送されてくる追悼メッセージ等々を一体的にアルバムとして編集する点に存するものである。【００１１】    また、本発明かかる追悼メッセージ集の作成方法の構成は、追悼メッセージ提供者からの種々の追悼メッセージをＣＤ−ＲＯＭ等の電子媒体として記録する点に存するものである。【００１２】  さらに、本発明かかる追悼メッセージ集の作成方法の構成は、追悼メッセージが音声、画像を添付した点に存するものである。【００１３】  さらにまた、本発明かかる追悼メッセージ集の作成方法の構成は、遺族から故人のデータを入手し、このデータに基づいて電子メール、ファックス等で葬儀に関する情報と、故人に対する追悼メッセージの提供依頼を発信するとともに、同様の内容をインターネットにおけるホームページ上に告知公告を掲載し、追悼メッセージの提供者がインターネットのホームページに設定された書式に直接入力された追悼メッセージ、あるいは、これに添付されたイメージデータ、および／または、電子メールによりサーバに送信されたメッセージおよびこれに添付されたイメージデータを所定追悼メッセージとしての形式に編集印刷し、さらには、郵送されてくる追悼メッセージ等々を一体的にアルバムとして編集するとともに、追悼メッセージ提供者のリストを作成するとともに、これに会葬者名を追記したリストを作成し、追悼メッセージ提供者への礼状ならびに会葬者等への贈答品（満中陰志）を発送する点に存するものである。
【発明の効果】
【００１４】  追悼メッセージ提供者は遺族に対して故人との人間関係を十分に知ってもらう事ができ、そのことによって遺族をねぎらい、癒すことができ、又、遺族は故人の様々な人間関係を知ることによって自ら心身共に癒される事になる。しかも、葬儀などで取り紛れ悲しみに疲れはてている遺族にとって、追悼メッセージの収集を代行者が代行することによって、故人への思い出を、時期を逸することなく、故人を偲ぶ一冊の想い出アルバムとして編集されることから、時間的にも労力的にも無理、無駄がなく、十分に故人を偲ぶことができる。【００１５】  さらに、追悼メッセージ提供者への礼状ならびに会葬者等に対して慣習として行われる葬儀後の忌明けにともなう煩雑な贈答品（満中陰志）の発送を、前述する追悼メッセージ提供者のリストを作成するとともに、これに会葬者名を追記したリストを作成し、このリストに基づいて追悼メッセージ提供者への礼状ならびに会葬者等への贈答品（満中陰志）リストを発送することによって、煩雑な事後処理となる忌明けにさいしての満中陰志の贈答を地帯なく行うことができる。
【発明を実施するための最良の形態】
【００１６】  以下、本発明のインターネットによる追悼メッセージ作成方法の実施形態の一例を説明する。本発明にかかる追悼メッセージ作成方法は、インターネット技術、および、電子メールあるいはファックス等の通信技術、ならびに、既存の通信手段である郵便により構成される。図１に示すように、遺族からの故人の基本的な情報、例えば、勤務先、友人、知人等のアドレス情報を入手すると、葬儀社あるいはこれに代わる代行会社（以下、単に代行者と言う。）は、インターネットの通信可能な環境下において、故人の逝去を適宜の手段を駆使して葬儀に関する基本的な情報、即ち、通夜および葬儀に関する日時、時間、場所、葬儀態様、宗派等々と併せて、故人に対する追悼メッセージの提供依頼の連絡を開始する。同時に、インターネットのホームページ上に故人の逝去に関する告知公告と、前述と同様の内容の葬儀に関する基本的な情報を掲載する。【００１７】  追悼メッセージ提供者からは、種種の形態による提供が想定されるが、これに対して代行者は次のような対応が準備される。例えば、代行者がインターネット上のホームページ上に予め準備した直接所定の形式のメッセージフォームへ、追悼メッセージ提供者が代行者のインターネット上のホームページにアクセスし直接記入できるように準備し、また、電子メールによる場合にあっても、代行者が準備した直接所定の形式のメッセージフォームへ転換するものとし、あるいは、これらにイメージ画像が添付されているケースにあっては、専用台紙にレイアウトし、郵送による手紙形式、写真等が送付されるケース、あるいは、ファックスによる提供によるケース、さらには、音声、動画等を送付してくるケース等々が想定されるが、これらに対しても、例えば、手紙の形式を採用する場合にあっては、前述するように予め所定の形式の印刷物を用意し、会葬時に手渡すことにより、追悼メッセージ提供者の負担を軽減し、よりメッセージの提供を容易にすることが可能とする。【００１８】  何れのケースにあっても、これを一冊の思い出のアルバムとして編集するのであるが、インターネットのホームページ、あるいは、電子メールによるメッセージの提供の場合には、追悼文専用の台紙に変換してプリントアウトし、その他の場合については綴り込み台紙にこれを収納し、美麗な表紙を装丁して一冊のアルバムとして仕上げ、これを必要部数だけ遺族に手渡すものである。また、追悼メッセージについては、プリントアウトしたものに加えて、これを電子媒体としてＣＤ−ＲＯＭに記録して添付することも、特に、音声、イメージ画像、動画等による追悼メッセージを記録する上で望ましい。【００１９】  さらに、かかる追悼メッセージ提供者のリストを作成し、これに会葬者等の氏名を追記して葬儀に関わる総合的なリストを作成し、忌明けにともなう満中陰志の贈答のために贈答品リストを発送することを行うことにより、遺族にとって煩雑な手続きを一挙に処理しうる上で好ましいものである。
【実施例】
【００２０】  図１、図２に基づいて本発明に係る追悼メッセージの作成方法について、理解を容易にするためにインターネットを使用するケースに特定して説明を進めるが、これに限定されるものではないことは勿論である。
１は代行者の端末機で、インターネットのサーバに接続されホームページが開設されている。代行者は遺族から故人に関する関係先（勤務先）、友人、知人のアドレスに関する基本情報をインプットし、この端末機１から故人の逝去にともなう通夜、葬儀に関する情報をインプットし（Ｓｔｅｐ１）、ならびに、故人に対する追悼メッセージの提供および故人と関わりのある者に対しての周知の依頼に関して、提供先としての代行者のアドレスを付記して、電子メールあるいはファックスとして発信すると同時に、インターネットのホームページ上に故人の逝去について告知公告を掲載し、かつ、通夜、葬儀に関する情報、ならびに、故人に対する追悼メッセージの提供の依頼掲載する（Ｓｔｅｐ２）。【００２１】追悼メッセージ提供者は端末機２により、インターネットを活用して代行者の端末機１に接続し（Ｓｔｅｐ３）、ホームページ上に用意された代行者が予め準備している追悼文台紙に記入する（Ｓｔｅｐ４）。特に限定するものではないが、本発明によるインターネットに掲示する追悼メッセージ専用台紙（入力フォームＩ）の画面構成の一例を図３に示す。追悼メッセージ提供者名欄１０、フリガナ欄１１、住所欄１２、電話番号欄１３、Ｅ−ｍａｉｌアドレス欄１４、および、故人名欄１５、追悼文欄１６が記載できるように設計されており、送信のためのボタン１７等が配置されており、メッセージの記入が終了すると代行者の端末機１のサーバに送信する。【００２２】  あるいは、追悼メッセージ提供者は端末機２により、インターネットを活用して代行者の端末機１に接続し、ホームページ上に用意された代行者が予め準備している追悼文書込台紙をダウンロードしたのち、この台紙に所要のメッセージを記載するとともに、例えば、故人との思い出をあらわす写真、イメージ画像等を添付して代行者の端末機１へ送信することも可能である。（Ｓｔｅｐ５）。この場合に、インターネットのホームページにおいて提供される追悼メッセージ専用台紙（入力フォームＩＩ）の一例を図４に示す。故人名欄１８、受信日時欄１９、追悼文欄２０に加え、追悼メッセージ提供者名欄、住所欄、電話番号欄２１が記載できるように設計されており、これに直接記載し、メールの添付文書として返信することによって代行者に追悼メッセージを提供する。また、この入力フォームをプリントアウトして、これに手書きにて追悼文にとどまらずイラスト、画像等を記載することも可能であり、かかるケースにあっては、この入力フォームをスキャナーにより電子化し、これを添付文書として送信することも可能である。【００２３】  代行者は、追悼メッセージ提供者から送信されたメッセージの受信を確認すると（Ｓｔｅｐ６）、受信のメッセージについて端末機１を操作し、追悼文専用台紙にプリントアウトするが（Ｓｔｅｐ７）、入力フォームＩで送信されてきた追悼メッセージを入力フォームＩＩに様式を統一するようにプリントアウトし、あるいは、必要に応じてＣＤ−ＲＯＭ４に書き込んだりして編集し、それを追悼メッセージとして作成し、これを順次に蓄積してアルバム原稿とし、一定の期間メッセージの提供を受け付けた後、一冊のアルバムとして美麗な表紙を装丁して思いでアルバム２２（図９��を編集する（Ｓｔｅｐ８）。【００２４】  また、本発明においては図５に示すように、代行者が準備した追悼文専用台紙を利用することのみに止まらず、追悼メッセージ提供者が自由に作成した追悼メッセージと、さらには、音声、写真等の画像を作成し（Ｓｔｅｐ５−１）、これを電子メールにより代行者の端末機１に送信（Ｓｔｅｐ５−２）されてきたメッセージを受信した場合（Ｓｔｅｐ５−３）、これを予め作成しておいた追悼文専用台紙（入力フォームＩＩ）にプリントアウト３し、あるいは、必要に応じてＣＤ−ＲＯＭ４に書き込んだりして編集し（Ｓｔｅｐ５−４）、それを追悼メッセージとして作成し、これを順次に蓄積してアルバム原稿とし、所用期間メッセージの提供を受け付けた後、一冊のアルバムとして美麗な表紙を装丁して思いでアルバムを編集する（Ｓｔｅｐ５−５）。【００２５】  また、図６に示すように、追悼メッセージ提供者が携帯電話のメールを利用するような場合にあっても、携帯電話の利用者が代行者の端末機１に送信し（Ｓｔｅｐ６−２）、これを受信した代行者は追悼文専用台紙にプリントアウトし（Ｓｔｅｐ６−４）、これを順次に蓄積してアルバム原稿とし、所用期間の間、追悼メッセージの提供を受け付けた後、他のメッセージとともに一冊のアルバムとして美麗な表紙を装丁して思いでアルバムを編集する（Ｓｔｅｐ６−５）。【００２６】  さらに、本発明に係る追悼メッセージの作成方法にあっては、郵送による追悼メッセージについても前述と同様に処理を行う（図７参照）。即ち、通夜時、会葬時、あるいは、電子メール、インターネット等の連絡手段により追悼メッセージの提供の依頼を受けた提供者が、追悼メッセージ提供者が保存していた故人との思い出の写真、故人に対する手書きのや手作りの追悼文、寄書きを作成し、これを郵送により代行者に送付する。より追悼メッセージを提供し易くするために図８に示すように書簡セットを作成して配布することが望ましい。
郵送されてきた追悼メッセージを受領した代行者は、一定期間の間順次にアルバム原稿として蓄積し、追悼メッセージの提供を受け付けた後、他の追悼メッセージとともに一冊のアルバムとして美麗な表紙を装丁して思いでアルバムとして編集する。【００２７】  加えて、本発明による追悼メッセージの作成方法にあっては、追悼メッセージによる思い出アルバムを作成した後、追悼メッセージ提供者のリストを作成するとともに、これに会葬者名を追記したリストを作成し、追悼メッセージ提供者への礼状ならびに会葬者等への贈答品（満中陰志）リストを発送する。
【図面の簡単な説明】
【００２８】
【図１】本発明に係る追悼メッセージ集の作成方法とその仕組みを表す説明図
【図２】インターネットの電子メールによる追悼メッセージの作成フローチャート図
【図３】インターネットホームページにおける入力画面Ｉ
【図４】インターネットホームページにおける入力画面ＩＩ
【図５】電子メールによる音声・画像等による追悼メッセージ作成フローチャート図
【図６】携帯電話の電子メールによる追悼文等の作成フローチャート図
【図７】郵便による追悼文等による作成フローチャート図  本発明に係る郵便による写真、絵画の作成及び郵送するフローチャート図
【図８】郵便に使用する書簡セット
【図９】偲ぶ想い出アルバム
【符号の説明】
【００２９】  １：追悼メッセージ提供者の端末機
２：受信者の代行者の端末機
３：受信者の代行者のプリンター
４：受信者の代行者のＣＤＲＯＭ
５：追悼メッセージ提供者の携帯電話
６：追悼メッセージ提供者の手書き用追悼文専用書込台紙及び封筒
７：偲ぶ想い出アルバム
【図１】
2005259096.tif 000003
【図２】
2005259096.tif 000004
【図３】
2005259096.tif 000005
【図４】
2005259096.tif 000006
【図５】
2005259096.tif 000007
【図６】
2005259096.tif 000008
【図７】
2005259096.tif 000009
【図８】
2005259096.tif 000010
【図９】
2005259096.tif 000011